【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】  座標入力装置から入力されたデータを処理する情報処理装置であって、
前記座標入力装置から入力された筆記データのサンプリング数と当該筆記データの入力開始から入力終了までの入力時間とを検知し、前記サンプリング数を前記入力時間で割ることによって前記座標入力装置のサンプリングレートを検知する検知手段と、
前記検知手段で検知されたサンプリングレートに基づいて、前記座標入力装置より入力される筆記データを所定のサンプリングレートの筆記データに標準化する標準化手段と
を備えることを特徴とする情報処理装置。
【請求項２】  前記標準化手段で標準化された筆記データをサイン認証に使用する
ことを特徴とする請求項１に記載の情報処理装置。
【請求項３】  前記標準化手段で標準化された筆記データを手書き文字認識に使用する
ことを特徴とする請求項１に記載の情報処理装置。
【請求項４】  前記標準化手段で標準化された筆記データをストロークデータベースに登録する
ことを特徴とする請求項１に記載の情報処理装置。
【請求項５】  前記標準化手段で標準化された筆記データを、前記座標入力装置より入力される筆記データの出力として使用する
ことを特徴とする請求項１に記載の情報処理装置。
【請求項６】  前記標準化手段は、前記検知されたサンプリングレートと前記所定のサンプリングレートとに基づいて、前記座標入力装置より入力される筆記データから得られるストロークデータを構成する点群を間引くことにより、前記座標入力装置より入力される筆記データを前記所定のサンプリングレートの筆記データに標準化する
ことを特徴とする請求項１乃至請求項５のいずれか１項に記載の情報処理装置。
【請求項７】  前記標準化手段は、前記検知されたサンプリングレートと前記所定のサンプリングレートとに基づいて、前記座標入力装置より入力される筆記データから得られるストロークデータを構成する点群を補完することにより、前記座標入力装置より入力される筆記データを前記所定のサンプリングレートの筆記データに標準化する
ことを特徴とする請求項１乃至請求項５のいずれか１項に記載の情報処理装置。
【請求項８】  前記検知手段は、前記座標入力装置の入力面にサンプリングレート検知用図形を表示させ、ユーザに対して当該表示された図形をなぞるように通知し、前記座標入力装置の入力面に表示された該図形に対して入力された筆記データのサンプリング数と当該筆記データの入力開始から入力終了までの入力時間とを検知し、前記サンプリング数を前記入力時間で割ることによって前記座標入力装置のサンプリングレートを検知する
ことを特徴とする請求項１乃至請求項７のいずれか１項に記載の情報処理装置。
【請求項９】  座標入力装置から入力されたデータを処理する情報処理方法であって、
検知手段が、前記座標入力装置から入力された筆記データのサンプリング数と当該筆記データの入力開始から入力終了までの入力時間とを検知し、前記サンプリング数を前記入力時間で割ることによって前記座標入力装置のサンプリングレートを検知する検知工程と、
標準化手段が、前記検知工程で検知されたサンプリングレートに基づいて、前記座標入力装置より入力される筆記データを所定のサンプリングレートの筆記データに標準化する標準化工程と
を備えることを特徴とする情報処理方法。
【請求項１０】  コンピュータに、座標入力装置から入力されたデータを処理させるためのプログラムを格納したコンピュータ可読メモリであって、
コンピュータに、
前記座標入力装置から入力された筆記データのサンプリング数と当該筆記データの入力開始から入力終了までの入力時間とを検知し、前記サンプリング数を前記入力時間で割ることによって前記座標入力装置のサンプリングレートを検知する検知工程、
前記検知工程で検知されたサンプリングレートに基づいて、前記座標入力装置より入力される筆記データを所定のサンプリングレートの筆記データに標準化する標準化工程と
を実行させるためのプログラムを格納したコンピュータ可読メモリ。
【手続補正２】
【補正対象書類名】明細書
【補正対象項目名】０００９
【補正方法】変更
【補正の内容】
【０００９】
【課題を解決するための手段】
上記の目的を達成するための本発明による情報処理装置は以下の構成を備える。即ち、
座標入力装置から入力されたデータを処理する情報処理装置であって、
前記座標入力装置から入力された筆記データのサンプリング数と当該筆記データの入力開始から入力終了までの入力時間とを検知し、前記サンプリング数を前記入力時間で割ることによって前記座標入力装置のサンプリングレートを検知する検知手段と、
前記検知手段で検知されたサンプリングレートに基づいて、前記座標入力装置より入力される筆記データを所定のサンプリングレートの筆記データに標準化する標準化手段と
を備える。
【手続補正３】
【補正対象書類名】明細書
【補正対象項目名】００１０
【補正方法】変更
【補正の内容】
【００１０】
また、好ましくは、前記標準化手段で標準化された筆記データをサイン認証に使用する。
【手続補正４】
【補正対象書類名】明細書
【補正対象項目名】００１１
【補正方法】変更
【補正の内容】
【００１１】
また、好ましくは、前記標準化手段で標準化された筆記データを手書き文字認識に使用する。
【手続補正５】
【補正対象書類名】明細書
【補正対象項目名】００１２
【補正方法】変更
【補正の内容】
【００１２】
また、好ましくは、前記標準化手段で標準化された筆記データをストロークデータベースに登録する。
【手続補正６】
【補正対象書類名】明細書
【補正対象項目名】００１３
【補正方法】変更
【補正の内容】
【００１３】
また、好ましくは、前記標準化手段で標準化された筆記データを、前記座標入力装置より入力される筆記データの出力として使用する。
【手続補正７】
【補正対象書類名】明細書
【補正対象項目名】００１４
【補正方法】変更
【補正の内容】
【００１４】
また、好ましくは、前記標準化手段は、前記検知されたサンプリングレートと前記所定のサンプリングレートとに基づいて、前記座標入力装置より入力される筆記データから得られるストロークデータを構成する点群を間引くことにより、前記座標入力装置より入力される筆記データを前記所定のサンプリングレートの筆記データに標準化する。
【手続補正８】
【補正対象書類名】明細書
【補正対象項目名】００１５
【補正方法】変更
【補正の内容】
【００１５】
また、好ましくは、前記標準化手段は、前記検知されたサンプリングレートと前記所定のサンプリングレートとに基づいて、前記座標入力装置より入力される筆記データから得られるストロークデータを構成する点群を補完することにより、前記座標入力装置より入力される筆記データを前記所定のサンプリングレートの筆記データに標準化する。
【手続補正９】
【補正対象書類名】明細書
【補正対象項目名】００１６
【補正方法】変更
【補正の内容】
【００１６】
また、好ましくは、前記検知手段は、前記座標入力装置の入力面にサンプリングレート検知用図形を表示させ、ユーザに対して当該表示された図形をなぞるように通知し、前記座標入力装置の入力面に表示された該図形に対して入力された筆記データのサンプリング数と当該筆記データの入力開始から入力終了までの入力時間とを検知し、前記サンプリング数を前記入力時間で割ることによって前記座標入力装置のサンプリングレートを検知する。
【手続補正１０】
【補正対象書類名】明細書
【補正対象項目名】００１７
【補正方法】変更
【補正の内容】
【００１７】
上記の目的を達成するための本発明による情報処理方法は以下の構成を備える。即ち、
座標入力装置から入力されたデータを処理する情報処理方法であって、
検知手段が、前記座標入力装置から入力された筆記データのサンプリング数と当該筆記データの入力開始から入力終了までの入力時間とを検知し、前記サンプリング数を前記入力時間で割ることによって前記座標入力装置のサンプリングレートを検知する検知工程と、
標準化手段が、前記検知工程で検知されたサンプリングレートに基づいて、前記座標入力装置より入力される筆記データを所定のサンプリングレートの筆記データに標準化する標準化工程と
を備える。
【手続補正１１】
【補正対象書類名】明細書
【補正対象項目名】００１８
【補正方法】変更
【補正の内容】
【００１８】
上記の目的を達成するための本発明によるコンピュータ可読メモリは以下の構成を備える。即ち、
コンピュータに、座標入力装置から入力されたデータを処理させるためのプログラムを格納したコンピュータ可読メモリであって、
コンピュータに、
前記座標入力装置から入力された筆記データのサンプリング数と当該筆記データの入力開始から入力終了までの入力時間とを検知し、前記サンプリング数を前記入力時間で割ることによって前記座標入力装置のサンプリングレートを検知する検知工程、
前記検知工程で検知されたサンプリングレートに基づいて、前記座標入力装置より入力される筆記データを所定のサンプリングレートの筆記データに標準化する標準化工程と
を実行させるためのプログラムを格納したコンピュータ可読メモリ。
【手続補正１２】
【補正対象書類名】明細書
【補正対象項目名】００１９
【補正方法】削除
【補正の内容】